(57)【要約】【課題】  暖房シーズン終了時に固定タンク内の燃油回収を行わず、次シーズンまで燃油を持ち越すことを防止可能な暖房装置を提供する。【解決手段】  器具本体１内に所定量の燃油が貯留可能な残油タンク２７を設置し、操作部２上に設置された燃油回収スイッチ４６が操作されたら、第２送油管２８側に燃油が流入するよう三方弁２６を切り替えて電磁ポンプ１７を駆動させることで、固定タンク１５内に残っている燃油を残油タンク２７に流入するので、暖房シーズンの終了時に固定タンク１５内に残っている燃油を確実に回収することができ、使用者が次の暖房シーズンまで固定タンク１５内に燃油を持ち越すことがなく、変質した燃油による配管詰まり等の不具合を防止することができる。【選択図】  図５
2014102028.tif 000002
【特許請求の範囲】
【請求項１】
燃油を燃焼する燃焼部を内部に備えた器具本体と、該器具本体に設置され所定量の燃油を貯留する固定タンクと、該固定タンク内の燃油を前記燃焼部に第１送油管を介して圧送する電磁ポンプと、前記器具本体に備えられ運転スイッチを操作することで暖房運転を開始させる操作部と、該操作部の前記運転スイッチが操作されたら前記電磁ポンプを駆動させ、前記燃焼部へ燃油を圧送して燃焼させることで暖房運転を開始する制御部とを備えた暖房装置において、所定量の燃油を貯留し前記器具本体から取り出し可能な残油タンクと、該残油タンクへ燃油を導く第２送油管と、前記第１送油管側と前記第２送油管側との流路の切り替えが可能な流路切替手段とを備え、前記制御部は、前記操作部の燃油回収スイッチが操作されたら、前記第２送油管側に前記流路切替手段を切り替えて前記電磁ポンプを駆動させ、前記固定タンク内の燃油を前記残油タンク内に流入させることを特徴とする暖房装置。
【請求項２】
前記残油タンク内の燃油量を検知する残油タンク燃油量検知手段と、前記制御部から発信された信号に基づいて所定の報知内容を報知する報知手段とを備え、前記制御部は、前記残油タンク燃油量検知手段での検知値により前記残油タンク内に燃油が満タンまで流入したと判断したら、前記電磁ポンプの駆動を停止させ、前記報知手段で前記残油タンク内に燃油が満タンまで流入したことを報知することを特徴とする請求項１記載の暖房装置。
【請求項３】
前記固定タンク内の燃油量を検知する油量センサを備え、前記制御部は、前記油量センサでの検知値により前記固定タンク内に燃油がないと判断したら、前記電磁ポンプを停止させ、前記第１送油管側に前記流路切替手段を切り替えて、前記報知手段で前記固定タンク内の燃油を前記残油タンクに流入し終えたことを報知することを特徴とする請求項２記載の暖房装置。
【発明の詳細な説明】
【技術分野】
【０００１】
この発明は、燃油を燃焼させることで室内暖房を行う暖房装置に関するものである。
【背景技術】
【０００２】
従来、この種のものにおいて、器具本体内に設置された固定タンクから送油管を介して燃焼部に燃油を供給し、燃焼部で燃油を燃焼させることで加熱した室内空気を室内に送風して暖房運転を行う暖房装置があった。（例えば、特許文献１）
【先行技術文献】
【特許文献】
【０００３】
【特許文献１】特許第４３７３３１１号公報
【発明の概要】
【発明が解決しようとする課題】
【０００４】
しかし、このような従来のものでは、一般に暖房シーズンが終了して次の暖房シーズンまで暖房運転を行わない期間となったら、器具本体内に残っている燃油を回収するため、固定タンク内の燃油を使用者がスポイト等で吸い出す必要があることから使い勝手が悪く、また、固定タンク内の燃油を回収しないまま放置すると燃油が変質して、次の暖房シーズン時に暖房運転を開始すると、変質した燃油によって送油管にタールが詰まる等して暖房運転に支障を来す場合があった。
【課題を解決するための手段】
【０００５】
上記課題を解決するために、本発明の請求項１では燃油を燃焼する燃焼部を内部に備えた器具本体と、該器具本体に設置され所定量の燃油を貯留する固定タンクと、該固定タンク内の燃油を前記燃焼部に第１送油管を介して圧送する電磁ポンプと、前記器具本体に備えられ運転スイッチを操作することで暖房運転を開始させる操作部と、該操作部の前記運転スイッチが操作されたら前記電磁ポンプを駆動させ、前記燃焼部へ燃油を圧送して燃焼させることで暖房運転を開始する制御部とを備えた暖房装置において、所定量の燃油を貯留し前記器具本体から取り出し可能な残油タンクと、該残油タンクへ燃油を導く第２送油管と、前記第１送油管側と前記第２送油管側との流路の切り替えが可能な流路切替手段とを備え、前記制御部は、前記操作部の燃油回収スイッチが操作されたら、前記第２送油管側に前記流路切替手段を切り替えて前記電磁ポンプを駆動させ、前記固定タンク内の燃油を前記残油タンク内に流入させるものである。
【０００６】
また、請求項２では前記残油タンク内の燃油量を検知する残油タンク燃油量検知手段と、前記制御部から発信された信号に基づいて所定の報知内容を報知する報知手段とを備え、前記制御部は、前記残油タンク燃油量検知手段での検知値により前記残油タンク内に燃油が満タンまで流入したと判断したら、前記電磁ポンプの駆動を停止させ、前記報知手段で前記残油タンク内に燃油が満タンまで流入したことを報知するものである。
【０００７】
また、請求項３では前記固定タンク内の燃油量を検知する油量センサを備え、前記制御部は、前記油量センサでの検知値により前記固定タンク内に燃油がないと判断したら、前記電磁ポンプを停止させ、前記第１送油管側に前記流路切替手段を切り替えて、前記報知手段で前記固定タンク内の燃油を前記残油タンクに流入し終えたことを報知するものである。
【発明の効果】
【０００８】
この発明の請求項１によれば、所定量の燃油を貯留し器具本体から取り出し可能な残油タンクと、残油タンクへ燃油を導く第２送油管と、第１送油管側と第２送油管側との流路の切り替えが可能な流路切替手段とを備え、操作部の燃油回収スイッチが操作されたら、第２送油管側に流路切替手段を切り替えて電磁ポンプを駆動させ、固定タンク内の燃油を残油タンク内に流入させるので、固定タンク内の燃油を残油タンクに流入させて回収し、残油タンクを器具本体から取り出して回収した燃油を処理することができるため、残油の処理が簡易であり、次の暖房シーズン時に変質した燃油を使用することがなく器具本体の故障を防止することができる。
【０００９】
また、請求項２によれば、残油タンク内の燃油量を検知する残油タンク燃油量検知手段と、制御部から発信された信号に基づいて所定の報知内容を報知する報知手段とを備え、残油タンク燃油量検知手段での検知値により残油タンク内に燃油が満タンまで流入したとと判断したら、電磁ポンプの駆動を停止させ、報知手段で残油タンク内に燃油が満タンまで流入したことを報知するので、残油タンク内の燃油が溢れ出すことがなく安全であり、残油タンク内に燃油が満タンまで流入したら報知するので、使用者が残油タンク内の燃油を処理するために残油タンクを取り出すタイミングが分かり、燃油の処理し忘れを防止できる。
【００１０】
また、請求項３のよれば、固定タンク内の燃油量を検知する油量センサを備え、油量センサでの検知値により固定タンク内に燃油がないと判断したら、第１送油管側に流路切替手段を切り替えて、報知手段で固定タンク内の燃油を残油タンクに流入し終えたことを報知するので、使用者が固定タンク内の燃油を残油タンクに流入し終えたことを簡易に知ることができ、次回の暖房運転開始時に第１送油管から燃焼部へ燃油が圧送されるため、確実に暖房運転が開始される。
【図面の簡単な説明】
【００１１】
【図１】この発明の一実施形態を示す器具本体の正面斜視図
【図２】同発明の内部構造を説明する要部断面図
【図３】同発明の燃焼系を説明する要部断面図
【図４】同発明の給油タンク収納室付近を説明する要部断面図
【図５】同発明の残油タンク収納室付近を説明する要部断面図
【図６】同発明の操作部を説明する図
【図７】同発明の制御ブロック図
【図８】同発明のシーズンオフ時の残油処理制御を説明するフローチャート
【発明を実施するための形態】
【００１２】
次に、この発明の一実施形態を図に基づいて説明する。
１は複数のパネルで形成された器具本体、２は器具本体１上面にあり各種スイッチで操作を行う操作部、３は現在時刻や設定温度、室温等を液晶画面に表示する報知手段としての液晶パネル、４は器具本体１の正面にあり温風を案内するルーバーが形成された温風吹出口、５は家庭用コンセントに差し込むことで器具本体１に電力を供給する電源プラグである。
【００１３】
６は燃油を燃焼する燃焼部であり、複数の所定面積の炎孔が形成されたバーナヘッド７と、該バーナヘッド７の周囲に設置された環状のバーナヘッドリング８と、高電圧をかけて先端でスパークさせ気化した燃油に点火する点火プラグ９と、炎電流値を検知することで炎の状態を監視するフレームロッド１０とで構成されている。
【００１４】
１１は気化器であり、燃油を気化温度まで加熱する気化ヒータ１２と、内部の温度を検知する気化温度センサ１３が備えられている。
【００１５】
１４は器具本体１から取り外し自在で所定量の燃油を貯留する給油タンク、１５は給油タンク１４から供給された燃油を所定量だけ貯留する固定タンク、１６は固定タンク１５内の燃油量をフロートで測定する油量センサ、１７は固定タンク１５内の燃油を第１送油管１８及び送油ノズル１９を介して気化器１１へ圧送する電磁ポンプ、２０は燃焼用空気を送風管２１を介して送風する燃焼ファンである。
【００１６】
ここで、燃焼部６での燃焼について説明すると、電磁ポンプ１７により圧送された燃油が気化器１１内に流入すると、気化ヒータ１２で高温に加熱された気化器１１内で瞬時にガス化し、燃焼ファン２０から送風管２１を介して送風された燃焼用空気と混合して上昇し、点火プラグ９で点火された炎をバーナヘッド７の炎孔から噴出する。燃焼中は気化器１１の上端に設置されバーナヘッド７の複数の炎孔に対向するように備えたバーナヘッドリング８によって炎から熱回収を行い、気化ヒータ１２の通電する電力を低減することで、ターンダウン比が大きく静かな気化燃焼を可能としている。
【００１７】
２２は器具本体１の背面に設置された対流ファン、２３は燃焼部６の周囲を囲うように設置された燃焼筒、２４は前記対流ファン２２と温風吹出口４との間にある空間で燃焼部６で発生した熱が流動する送風ボックス、２５は前記送風ボックス２４内にあり器具本体１の上部方向へ上昇する熱を遮断する遮熱板である。
【００１８】
２６は第１送油管１８上に設置され弁を切り替えることで流路を変化させる流路切替手段としての三方弁、２７は前記三方弁２６の一端に接続された第２送油管２８から流入する燃油を所定量だけ貯留する残油タンクであり、三方弁２６の弁方向を変化させることで燃油を気化器１１と残油タンク２７のいずれか一方に送油することができる。
【００１９】
２９は給油タンク１４が給油タンク収容室３０内に存在するか検知する給油タンク検知手段であり、軸を中心にして一定方向への回動が可能な給油側回転体３１と、該給油側回転体３１が回動してスイッチをＯＮ状態にすることで、給油タンク１４が給油タンク収容室３０内に有ることを検知可能な給油タンク検知スイッチ３２とで構成されている。
【００２０】
３３は器具本体１の側面にあり残油タンク２７を器具本体１内から取り出すための残油タンク取り出し口であり、該残油タンク取り出し口３３に形成された取っ手を上方向に持ち上げて開放することで、器具本体１内部に収納された残油タンク２７を取り出すことができる。
【００２１】
３４は残油タンク２７が残油タンク収容室３５内に存在するか検知する残油タンク検知手段であり、軸を中心にして一定方向への回動が可能な残油側回転体３６と、該残油側回転体３６が回動してスイッチをＯＮ状態にすることで、残油タンク２７が残油タンク収容室３５内に有ることを検知可能な残油タンク検知スイッチ３７とで構成されている。
【００２２】
３８は残油タンク収納室３５にあり、残油タンク２７の重量を計測して残油タンク２７内に存在する燃油量を推定する残油タンク燃油量検知手段としての重量センサである。
【００２３】
前記操作部２には、暖房運転の開始と停止を指示する運転スイッチ３９と、所定の暖房運転時間が経過した後も続けて暖房運転を実行する延長スイッチ４０と、気化器１１を保温して運転スイッチ３９の操作後から数秒で暖房運転を開始可能とする秒速点火スイッチ４１と、現在の時刻や任意の時間に暖房運転を開始するタイマー運転の設定を可能とする時刻設定スイッチ４２と、暖房運転の設定温度や現在の時刻を調節する数値調節スイッチ４３と、子どものいたずら防止のため運転スイッチ３９の停止指示以外の操作を無効にするチャイルドロックスイッチ４４と、最大火力を４０％抑え設定温度が２１℃以上の際、強制的に２０℃まで下げて消費電力を低下させたエコ運転を実行するエコスイッチ４５と、三方弁２６を第２送油管２８側に燃油が流入するように切り替えてから電磁ポンプ１７を駆動させることで、給油タンク１４内の燃油を残油タンク２７へ流入させる所定のスイッチである燃油回収スイッチ４６とが備えられており、各種スイッチを操作して暖房運転の制御を変更する。
【００２４】
更に、操作部２上には、運転スイッチ３９が操作され暖房運転の開始が指示されると点灯する運転ランプ４７と、自動消火する１５分前になると点滅する延長ランプ４８と、秒速点火スイッチ４１が操作されると点灯する秒速点火ランプ４９と、エコスイッチ４５が操作されエコ運転が開始されると点灯するエコランプ５０と、燃油回収スイッチ４６が操作され給油タンク１４から残油タンク２７への燃油の流入が開始されると点灯する燃油回収ランプ５１とが備えられており、各種スイッチ操作の有無を視覚で簡単に確認できる。
【００２５】
５２は運転スイッチ３９や延長スイッチ４０等が操作された際にメロディや効果音を鳴らす報知手段としてのスピーカである。
【００２６】
５３は器具本体１の制御を行うマイコンで構成された制御部であり、操作部２上に設置された各種スイッチの操作に基づき、暖房運転の状態やエラーの内容等を液晶パネル３及びスピーカ５２で報知する。
【００２７】
次に、この発明の暖房運転について説明する。
使用者が操作部２上にある運転スイッチ３９を操作すると、制御部５３は、気化ヒータ１２に通電して気化器１１内を加熱し、第１送油管１８上に設置された三方弁２６が気化器１１側に送油されるか確認して、気化温度センサ１３で検知された温度が所定値以上となったら電磁ポンプ１７を所定のパルスで駆動させ、第１送油管１８内を流動する燃油が送油ノズル１９から噴射され、高温の気化器１１内で瞬時にガス化した燃油が燃焼ファン２０で送風された燃焼用空気と混合して上昇し、点火プラグ９でスパークさせることでバーナヘッド７の炎孔から炎を噴出して周囲の室内空気を加熱し、対流ファン２２で温風吹出口４から室内に送風することで室内の温度を上昇させる。
【００２８】
燃焼を継続して給油タンク１４内の燃油量が減少すると、制御部５３は、固定タンク１５に設置された油量センサ１６で検知された燃油量が所定値以下か判断し、燃油量が所定値以下であれば、液晶パネル３に暖房運転の継続可能な時間を表示し、スピーカ５２で所定の報知音を鳴らすことで燃油量が少ないことを報知して、電磁ポンプ１７の駆動パルス数を調節することで液晶パネル３に表示した暖房運転の継続可能時間での燃焼を可能とする。
【００２９】
次に、暖房シーズン終了時における燃油回収について図８のフローチャートに基づいて説明する。
まず、制御部５３は、操作部２に設置された燃油回収スイッチ４６が操作されたか判断し（ステップＳ１０１）、燃油回収スイッチ４６が操作されていれば燃油回収ランプ５１を点灯させ、電磁ポンプ１７の駆動を停止して暖房運転を強制的に終了する（ステップＳ１０２）。
【００３０】
ステップＳ１０２で暖房運転を終了させたら、制御部５３は、給油タンク収納室３０に給油タンク１４が有るか給油タンク検知スイッチ３２のＯＮ／ＯＦＦで判断し（ステップＳ１０３）、給油タンク検知スイッチ３２がＯＦＦになっていれば次のステップへ進み、給油タンク検知スイッチ３２がＯＮになっていれば、スピーカ５２から所定の報知音を鳴らして、給油タンク１４を給油タンク収納室３０から取り外すよう指示する内容のエラーＡを液晶パネル３に表示する（ステップＳ１０４）
【００３１】
ステップＳ１０３で給油タンク検知スイッチ３２がＯＦＦになっていると判断したら、制御部５３は、残油タンク収納室３５に残油タンク２７が存在するか残油タンク検知スイッチ３７のＯＮ／ＯＦＦで判断し（ステップＳ１０５）、残油タンク検知スイッチ３７がＯＮになっていれば次のステップへ進み、残油タンク検知スイッチ３７がＯＦＦになっていれば、スピーカ５２から所定の報知音を鳴らして、残油タンク２７を残油タンク収納室３５の所定位置に設置するよう指示する内容のエラーＢを液晶パネル３に表示する（ステップＳ１０６）
【００３２】
ステップＳ１０５で残油タンク検知スイッチ３７がＯＮになっていると判断したら、制御部５３は、第２送油管２８側に燃油が流入するよう三方弁２６の弁方向を切り替えて、電磁ポンプ１７を所定のパルス数で駆動することで（ステップＳ１０７）、固定タンク１５内に残っている燃油を吸い出して残油タンク２７に流入する。
【００３３】
ステップＳ１０７で第２送油管２８側に燃油が流入するよう三方弁２６を切り替えて電磁ポンプ１７を駆動させたら、制御部５３は、油量センサ１６で検知された数値により固定タンク１５内に燃油が残存するか判断し（ステップＳ１０８）、油量センサ１６で検知された数値から固定タンク１５内に燃油が残存すると判断したら、重量センサ３８で検知された数値により残油タンク２７内に燃油が満タンまで流入したか判断し（ステップＳ１０９）、残油タンク２７内に燃油が満タンまで流入したと判断したら、電磁ポンプ１７の駆動を停止してスピーカ５２から所定の報知音を鳴らし、残油タンク２７内に燃油が満タンまで流入しており、残油タンク２７内の燃油を処理するよう指示する内容を液晶パネル３に表示し（ステップＳ１１０）、残油タンク２７内に燃油が満タンまで流入していなければ、再度ステップＳ１０８で固定タンク１５内に燃油が残存するか判断する。
【００３４】
ステップＳ１１０で残油タンク２７内の燃油を処理するよう指示する内容を液晶パネル３に表示したら、制御部５３は、残油タンク収納室３５内に残油タンク２７が存在するか残油タンク検知スイッチ３７のＯＮ／ＯＦＦで判断し（ステップＳ１１１）、残油タンク検知スイッチ３７がＯＦＦになっていれば、固定タンク１５内に燃油がまだ残っており、残油タンク２７内の燃油を処理した後に再度残油タンク２７を残油タンク収納室３５内に設置するよう指示する内容を液晶パネル３に表示し（ステップＳ１１２）、再度ステップＳ１０３で給油タンク１４が給油タンク収納室３０内に存在するか判断する。
【００３５】
また、ステップＳ１０８で固定タンク１５内に燃油が残存しないと判断したら、制御部５３は、電磁ポンプ１７の駆動を停止して第１送油管１８側に燃油が流入するよう三方弁２６の弁方向を切り替え、スピーカ５２から所定の報知音を鳴らし、固定タンク１５内の燃油を残油タンク２７内へ全て流入し終えたと共に、残油タンク２７内の燃油を処理するよう指示する内容を液晶パネル３に表示して燃油回収ランプ５１を消灯することで（ステップＳ１１３）、燃油回収の制御を終了する。
【００３６】
なお、燃油回収スイッチ４６が操作され残油タンク２７内に燃油を流入している途中で、使用者が残油タンク２７を残油タンク収容室３５から取り出そうとすると、制御部５３は、残油タンク検知スイッチ３７がＯＦＦになったことを検知して電磁ポンプ１７の駆動を直ちに停止させ、スピーカ５２から所定の報知音を鳴らして残油タンク２７を元の位置に戻すよう指示する内容を液晶パネル３に表示することで、残油タンク２７からの燃油漏れを防止することができる。
【００３７】
以上のように、器具本体１の所定箇所に残油タンク２７を設置し、燃油回収スイッチ４６が操作されたら、第２送油管２８側に燃油が流入するよう三方弁２６を切り替えて電磁ポンプ１７を駆動させ、固定タンク１５に残っている燃油を残油タンク２７に流入させることで、暖房シーズンの終了時に固定タンク１５内に残っている燃油を確実に回収して処理することができるため、使用者が固定タンク１５内の燃油をポリバケツ等に手動ポンプを用いて回収する必要がなく使い勝手が向上し、次の暖房シーズンまで固定タンク１５内に燃油を持ち越すことがないため、次の暖房シーズンの暖房運転において変質した燃油による配管詰まり等の不具合を防止することができる。
【００３８】
また、重量センサ３８で検知された数値により残油タンク２７内に燃油が満タンまで流入したと判断したら、スピーカ５２から所定の報知音を鳴らして液晶パネル３に残油タンク２７内の燃油が満タンであることを表示するので、使用者は残油タンク２７内に燃油が満タンまで流入したことを簡易に知ることができ、確実に残油タンク２７を器具本体１から抜き出して燃油を回収することができる。
【００３９】
また、残油タンク２７に燃油を流入させたことで、油量センサ１６で検知された数値から固定タンク１５内に燃油が残存しないと判断したら、電磁ポンプ１７の駆動を停止させ第１送油管１８側に燃油が流入するよう三方弁２６の弁方向を切り替え、スピーカ５２から所定の報知音を鳴らして、固定タンク１５内に燃油がないことを液晶パネル３に表示するので、使用者は固定タンク１５内の燃油が全てなくなったことを簡易に知ることができ、次回の暖房運転開始時に第１送油管１８から燃焼部６へ燃油が圧送されるため、確実に暖房運転を開始することができ使い勝手が向上する。
【００４０】
なお、本実施形態では残油タンク２７内の燃油量を重量センサ３８で検知された数値に基づいて判断しているが、これに限らず例えば、残油タンク２７内にフローセンサを設置することで燃油量を検知することや、電磁ポンプ１７のパルス数から残油タンク２７に流入した燃油量を算出する方法であってもよく、その他、残油タンク２７内の燃油量が検知可能な手段であればよいものである。
【００４１】
また、本実施形態では残油タンク２７を固定タンク１５とは別に設置しているが、これに限らず例えば、固定タンク１５の一部を区切って空きスペースを作り、第２送油管２８から燃油がこの空きスペースに流入する構成にして残油タンク２７と同じ機能を持たせる構成や、燃焼部６へ燃油を圧送する送油管とは別に残油タンク２７へ直接通じる送油管を構成する等、本発明の内容を逸脱しない範囲で構成を変更してもよいものである。
【符号の説明】
【００４２】
１    器具本体
２    操作部
３    液晶パネル
６    燃焼部
１５    固定タンク
１７    電磁ポンプ
１８    第１送油管
２６    三方弁
２７    残油タンク
２８    第２送油管
２９    給油タンク検知手段
３４    残油タンク検知手段
３５    残油タンク収納室
３８    重量センサ
４６    燃油回収スイッチ
５１    燃油回収ランプ
５２    スピーカ
５３    制御部
【図１】
2014102028.tif 000003
【図２】
2014102028.tif 000004
【図３】
2014102028.tif 000005
【図４】
2014102028.tif 000006
【図５】
2014102028.tif 000007
【図６】
2014102028.tif 000008
【図７】
2014102028.tif 000009
【図８】
2014102028.tif 000010